(57)【特許請求の範囲】
【請求項１】
粉状又は粒状の内容物（Ｐ）を収納する有底筒状の容器本体（１）と、該容器本体（１）の口筒部（２）に装着される外筒部（１１）と該外筒部（１１）の内側に配設されるノズル（２０）とを備えたノズル本体（１０）と、複数の小孔（３６）が穿設されると共に前記ノズル（２０）の先端（２１）に対向配置された頂壁（３２）及び該頂壁（３２）を閉塞する蓋体（３３）を有して前記ノズル本体（１０）の一部を被嵌するキャップ本体（３０）と、を備えた振出し容器であって、
前記ノズル（２０）を前記外筒部（１１）の内壁に傾斜状に配設した仕切り板（１５）に立設すると共に、前記ノズル（２０）の側面（２３）に先端（２１）から基部に亘る開放部（２４）を形成し、
前記複数の小孔（３６）を、キャップ本体（３０）の頂壁（３２）の、前記開放部（２４）と同じ側の領域に配設したことを特徴とする振出し容器。
【請求項２】
ノズル（２０）を複数の小孔（３６）から離れる方向で且つ容器軸（Ｏ）に対して偏心する位置に設けた請求項１記載の振出し容器。
【請求項３】
仕切り板（１５）を、開放部（２４）とは逆側となるノズル（２０）の側面（２３）の上部から前記開放部（２４）の下端（２２）に向かう下り傾斜状とした請求項１又は２記載の振出し容器。
【請求項４】
仕切り板（１５）の水平面（Ｈ）に対する傾斜角度（θ）を３０度以上とした請求項１乃至３のいずれか一項に記載の振出し容器。
【請求項５】
キャップ本体（３０）の外周面に雄ねじ（３５）を刻設し、ノズル本体（１０）の先端側の内周面に雌ねじ（１４）を刻設して互いを螺合可能とした請求項１乃至４のいずれか一項に記載の振出し容器。
【発明の詳細な説明】
【技術分野】
【０００１】
本発明は、容器内に収容された粉状又は粒状の調味料等の内容物を外部に吐出する振出し容器に関する。
【背景技術】
【０００２】
粉状、或いは粒状からなる調味料等を吐出する振出し容器は、例えば以下の特許文献１に示すような先行技術に開示されている。
特許文献１に開示された振出し容器は、振出し大孔と複数の振出し小孔とが開口形成されたオーバーキャップと、振出し大孔及び複数の振出し小孔の部分領域に対応する大きさで形成された開口部とこの開口部を覆うヒンジ蓋とを備え、上蓋に対して回転可能に取り付けられたオーバーキャップとを有して構成されている。
【０００３】
内容物を少量吐出する場合には、ヒンジ蓋を回動させて振出し小孔を露出させ、キャップ付き容器を持ち上げ振出し小孔面を下にして、適当な角度に傾けて振ることにより、振出し小孔から粒状の内容物が少量ずつ吐出される。
また内容物を多量吐出する場合には、ヒンジ蓋を回動させて振出し小孔を露出させると共に、上蓋の開口部とオーバーキャップの振出し大孔とが完全に重なるように上蓋を回転させ、開口部を介して振出し大孔とを露出させる。そして、キャップ付き容器を持ち上げ、重なり合った開口部と振出し大孔を下面にして適当な角度に傾けて振ることにより、粒状の内容物が多量に吐出される。
【先行技術文献】
【特許文献】
【０００４】
【特許文献１】特開平８−１１９１７号公報
【発明の概要】
【発明が解決しようとする課題】
【０００５】
しかし、特許文献１に記載の振出し容器においては、例えば粉状又は粒状等の内容物を計量スプーンに向けて吐出する場合、振出し小孔から少量ずつ内容物を計量スプーンに振ったときに飛散して内容物の多くが無駄になる虞がある。
このため、振出し大孔から内容物を計量スプーンに向けて吐出させることになるが、この場合には内容物が広範囲に亘って吐出されて予定量より多く出過ぎる虞があると共に、多く出過ぎた内容物を容器内に回収することが難しいという問題がある。
【０００６】
本発明は、上記した従来技術における問題点を解消すべく、内容物の少量吐出と多量吐出の２種類の吐出を可能とする機能を備えると共に、多く出過ぎた内容物を容器内に効率良く回収できるようにした振出し容器を創出することを課題とする。
【課題を解決するための手段】
【０００７】
上記課題を解決するための手段のうち、本発明の主たる構成は、
粉状又は粒状等の内容物を収納する有底筒状の容器本体と、この容器本体の口筒部に装着される外筒部とこの外筒部の内側に配設されるノズルとを備えたノズル本体と、複数の小孔が穿設されると共にノズルの先端に対向配置された頂壁及びこの頂壁を閉塞する蓋体を有してノズル本体の一部を被嵌するキャップ本体と、を備えた振出し容器であって、
ノズルを外筒部の内壁に傾斜状に配設した仕切り板に立設すると共に、ノズルの側面に先端から基部に亘る開放部を形成し、
複数の小孔を、キャップ本体の頂壁の、開放部と同じ側の領域に配設したことを特徴とする、と云うものである。
【０００８】
本発明の主たる構成では、ノズルの片側に開放部を設けることで振出しに方向性を持たせることが可能となるので、複数の小孔をキャップ本体の頂壁上の開放部側と同じ側の領域に配設することにより、少量吐出すべく開放部を下向きして振った場合に、ノズル内の第２吐出路を通る内容物は開放部から開放部と内側壁及び内シール部とが対向する部分に形成される第１吐出路内に導かれる。このため、この第１吐出路の先端側の位置に設けられている複数の小孔を介して内容物を確実に外部に吐出することが可能となる。
【０００９】
また本発明の他の構成は、本発明の主たる構成に、ノズルを複数の小孔から離れる方向で且つ容器軸から偏心する位置に設けた、との構成を加えたものである。
【００１０】
上記構成では、内容物が仕切り板の上部側の隙間、より詳しくはヒンジ側で且つノズル本体の外筒部の傾斜状の内面とノズルの側面との間に形成される隙間に残留し難くなるため、キャップ本体を取り外した際に内容物がこぼれ落ちるのを抑制することが可能となる。
【００１１】
また本発明の他の構成は、上記いずれかの構成に、仕切り板を、開放部とは逆側となるノズルの側面の上部から開放部の下端に向かう下り傾斜状とした、との構成を加えたものである。
【００１２】
上記構成では、内容物は仕切り板上を、ヒンジ側の上部から逆ヒンジ側に設けられた開放部の下端に向かって滑り落ちるようになるため、内容物が回収不能となることがない。
【００１３】
また本発明の他の構成は、上記いずれかの構成に、仕切り板の水平面に対する傾斜角度を３０度以上とした、との構成を加えたものである。
【００１４】
上記構成では、比較的粒径の大きな粒状の内容物は勿論のこと、比較的粒径の小さな粉状の内容物をも確実に回収することができると共に、側壁の内側にノズルを備えるノズル本体の成形性を高めることができる。
【００１５】
また本発明の他の構成は、上記いずれかの構成に、キャップ本体の外周面に雄ねじを刻設し、ノズル本体の先端側の内周面に雌ねじを刻設して互いを螺合可能とした、との構成を加えたものである。
【００１６】
上記構成では、キャップ本体がいわゆる内ネジ形式となり、側壁の外部に外側壁を形成する必要がないため、振出し容器の特にキャップ本体とノズル本体の連結部分の外観をスリム化することが可能となる。またキャップ本体の内壁部と外壁部とが径方向に対向する部分に隙間が形成されず、内容物が残留し難くなるので、キャップ本体を取り外した際にこぼれ落ちる内容物の量を大幅に抑制することができる。
【発明の効果】
【００１７】
本発明は、上記した構成となっているので、以下に示す効果を奏する。
本発明では、少量吐出と多量吐出の２種類の機能を備える振出し容器を提供することができる。すなわち、蓋体を開いた後に開放部側を下に向けた状態で振ることにより、内容物を少量吐出することができ、またキャップ本体を取り外した後に開放部側を上に向けた状態で振出し容器を傾けることにより、内容物を多量吐出することができる。内容物をノズルを介して多量吐出することができるため、内容物が広範囲に亘って吐出されることがなくなり、例えばキャップ本体内に正確に吐出することができるようになる。
【００１８】
しかも仕切り板の傾斜角度を上記の範囲内の角度に設定することにより、ノズルの周囲に内容物が溜り難くすることが可能となり、キャップ本体を取り外した際に内容物がこぼれ落ちることを抑制することができる。
【図面の簡単な説明】
【００１９】
【図１】本発明の振出し容器の第１の実施例を示し、Ａは振出し容器の平面図、Ｂは振出し容器の断面図である。
【図２】Ａはノズル本体を部分的に示す正面図、Ｂはその平面図である。
【図３】一使用例として、容器を振って少量吐出する様子（適量状態）を示す振出し容器の断面図である。
【図４】図３から正立姿勢に戻した後に、内容物が回収される様子を示す振出し容器の断面図である。
【図５】一使用例として、キャップ本体を外して多量吐出する様子（定量状態）を示す振出し容器の断面図である。
【図６】本発明の振出し容器の第２の実施例を示し、Ａは振出し容器の平面図、Ｂは振出し容器の断面図である。
【図７】本発明の第３の実施例を示す振出し容器の断面図である。
【発明を実施するための形態】
【００２０】
以下、本発明の実施の形態について図面を参照しつつ説明する。
なお、以下の説明においては、後述するキャップ本体３０に設けられたヒンジ３４が位置する側をヒンジ側（図１中、容器軸Ｏから見て右側の領域）ａと称し、その逆側を逆ヒンジ側（図１中の左側の領域）ｂと称して説明する。なお、後述するようにヒンジ側ａは、ノズル２０の側面２３のうち開放部２４が形成されていない側に相当し、逆ヒンジ側ｂは開放部２４が形成されている側に相当する。
本発明の振出し容器は、粉状又は粒状からなる調味料などを収納し、少量吐出したり、多量吐出したりすることが可能な容器である。
【００２１】
先ず、第１実施例としての振出し容器の構成について説明する。
図１乃至図５に示すように、第１の実施例に示す振出し容器は、容器本体１と、この容器本体１の口筒部２に装着されるノズル本体１０と、このノズル本体１０の上に取り付けられるキャップ本体３０とを有して構成される。容器本体１は、上部側の肩部３の上に口筒部２が一体に立設された有底筒状の容器であり、肩部３の上に口筒部２との境目部分には段差部４が形成されている。なお、容器本体１は一般的には合成樹脂製であるが、その他紙製、ガラス製、陶器製、金属製などどのような材料から形成された容器であってもよい。
【００２２】
ノズル本体１０は合成樹脂製であり、円筒状からなる外筒部１１と、外筒部１１の内側に設けられたノズル２０とが一体に成形された部材である。外筒部１１は、高さ方向の略中間位置に設けられた段差１７を介して下部側の外径寸法が上部側の外径寸歩よりも大きい。外筒部１１の上部側の外周面には雄ねじ１４が刻設され、外筒部１１の下部側の内側には筒状の内シール部１２が一体に設けられている。図１Ｂに示すように、ノズル本体１０を容器本体１の口筒部２に装着した状態では、内シール部１２が口筒部２上端の内壁に密着する。これにより、内容物が容器本体１とノズル本体１０との連結部分から外部に漏れることを抑制できるようになっている。なお、外筒部１１の下端には、容器本体１の容器本体１の段差部４に係合して回り止めを行う係止片１３が形成されている。
【００２３】
外筒部１１の内壁には、ヒンジ側ａ（後述する開放部２４が形成されていない側）のノズル２０の上部から逆ヒンジ側ｂ（開放部２４が形成されている側）のノズル２０の下端２２に向けて下り傾斜状に配置された仕切り板１５が一体に形成されており、ノズル２０はこの仕切り板１５に先端２１を上方に向けた状態で立設されている。すなわち、傾斜状の仕切り板１５は、その外周端が外筒部１１の内壁に連結され、内周端がノズル２０の側面２３に連結されることにより、ノズル２０を外筒部１１の内側で支持している。
【００２４】
ノズル２０は先端２１から基端２２に向かって徐々に拡径するテーパ筒状の側面２３を有し、側面２３の逆ヒンジ側ｂには先端２１から基端２２に亘ってスリット状に開口する開放部２４が形成されている。この開放部２４の下端は仕切り板１５の下端に一致している。第１実施例では、ノズル２０が容器軸Ｏに対してヒンジ側ａに偏心した位置に配置されると共に、その先端２１は後述するキャップ本体３０の頂壁３２の下面近傍位置まで延設されている。ノズル２０の先端２１と基端２２は共に開口しており、その内部は第２吐出路２５となっている。
【００２５】
キャップ本体３０も合成樹脂製であり、円筒状からなる側壁３１と、側壁３１の天面側に設けられた頂壁３２と、この頂壁３２を閉塞する蓋体３３とを有し、蓋体３３は図１において容器軸Ｏから見て右側（ヒンジ側ａ）の位置に設けられたヒンジ３４を介して頂壁３２に開閉可能に支持されている。
【００２６】
第１実施例示す側壁３１は、その下端に高さ方向の略中間位置から外側に拡径状に形成された外側壁３１Ａと、そのままストレートに延びる内側壁３１Ｂとを有しており、外側壁３１Ａの内周面にはノズル本体１０の外筒部１１の上部側の外周面に形成された雄ねじ１４に螺合する雌ねじ３５が刻設されている。なお、ノズル２０の開放部２４とこれに対向する内側壁３１Ｂ及び内シール部１２との間は容器軸Ｏに沿って開口する第１吐出路１６となっている。
【００２７】
また頂壁３２には、頂壁３２を貫通する複数（図１Ａでは５つ）の小孔３６が穿設されている。図１Ａに示すように、複数の小孔３６は逆ヒンジ側ｂの領域、より詳しくは容器軸Ｏに対して直交する２本の水平線（左右線Ｌ１と前後線Ｌ２）のうち、ヒンジ３４を通らない一方の左右線Ｌ１の線上及びこの左右線Ｌ１よりも逆ヒンジ側ｂの領域内に配置されている。
なお、小孔３６は頂壁３２の下面側の径寸法の方が上面側の径寸法よりも大きく形成されており、粉状又は粒状の内容物が吐出しやすくなっている。また蓋体３３の内面上で且つ小孔３６と対応する位置には、短円筒状に形成され且つ小孔３６に嵌入して閉鎖可能な複数の栓体３７が垂設されている。
【００２８】
ヒンジ３４は頂壁３２と蓋体３３との連結部分を肉薄状に形成した構成であり、このヒンジ３４を支点に蓋体３３が回動することにより、頂壁３２を閉鎖し又は開放することが可能となっている。
【００２９】
次に、第１実施例としての振出し容器の使用方法について説明する。
内容物を少量吐出するには、蓋体３３を開いて複数の小孔３６を有する頂壁３２を露出させる。そして、図３に示すように、開放部２４及び頂壁３２を下方に向けた状態にして振出し容器を持ち上げ、適当な角度に傾けて振ることにより、粉状又は粒状の内容物を容器本体１からノズル本体１０側に移動させ、さらには小孔３６から内容物を少量ずつ吐出させることができる。
この場合、第１吐出路１６内の内容物は直接複数の小孔３６から外部に吐出される。またノズル２０内の内容物は、ノズル２０の基端２２側から第２吐出路２５を通って先端２１側に移動するが、その移動の途中で開放部２４から第１吐出路１６に至って小孔３６から外部に吐出されることになる。
【００３０】
ここで第１実施例は、図１Ａに示すように、複数の小孔３６の配置に合わせてノズル２０の内径寸法を広くし、このノズル２０の先端２１側の側面２３で囲まれる領域内に複数の小孔３６が配置される構成としたものである。さらにはノズル２０の先端２１をキャップ本体３０の頂壁３２の下面近傍位置まで延設した構成である。このような構成とすることにより、図１Ｂに示すように、ノズル２０の先端２１と頂壁３２との間にスペースを設けなくとも、内容物を広範囲に吐出させることが可能である。
【００３１】
また。第１実施例では、ノズル２０が、複数の小孔３６から離れる方向で且つ容器軸Ｏに対してヒンジ側ａに偏心した位置に配置されているため、内容物が仕切り板１５の上部側の隙間、より詳しくはヒンジ側ａで且つノズル本体１０とノズル２０の側面２３との隙間Ｑ（図１Ａ及びＢ参照）に残留し難くなるため、キャップ本体３０を取り外した際に内容物がこぼれ落ちるのを抑制することが可能となる。
【００３２】
続いて、図４Ａ及び図４Ｂに示すように、吐出後の振出し容器を正立姿勢に戻す。すると同図中に矢印で示すように、ノズル２０の周囲に残留する粒状又は粒状の内容物Ｐをノズル２０の側面２３及び仕切り板１５に沿って下方に滑り落とすことができる。これにより、少量吐出の際にノズル本体１０及びキャップ本体３０内に残った内容物を容器本体１内に容易に戻して回収することができる。
【００３３】
ここで仕切り板１５の水平面Ｈに対する傾斜角度θは、比較的粒径寸法の大きな粒状の内容物、例えばいりこだしの素のような顆粒状の内容物を回収する場合には３０度以上とする構成が好ましい。さらに例えば粉末だしの素のような流動性のある細かい粉末状の内容物については４０度以上が好ましく、流動性の低い細かい粉末状の内容物については６０度以上が特に好適である。
【００３４】
また仕切り板１５の傾斜角度θが大きくなるに連れ、ノズル２０の側面２３と外筒部１１の内面（仕切り板１５から続く外筒部１１の傾斜状の内面）との隙間Ｑが狭くなってノズル本体１０の成形時に金型が抜け難くなるが、このようなノズル本体１０の成形性を考慮した場合には傾斜角度θを８０度以下とする構成が好ましい。さらにより良い成形性を考慮した場合には、傾斜角度θを６５度以下とする構成が特に好ましい。
【００３５】
次に内容物を多量吐出するには、キャップ本体３０をノズル本体１０から螺脱させてノズル２０を露出させる。そして、図５に示すように、開放部２４側を上方に向け且つノズル２０の先端２１を下に向けた状態にして振出し容器を持ち上げ、適当な角度に傾けて振ることにより、粉状又は粒状等の内容物を多量に吐出させることができる。この場合、内容物は第２吐出路２５を形成するノズル２０上を基端２２側から先端２１側に移動し、先端２１から直接外部に吐出されることになる。
【００３６】
ここで、キャップ本体３０の内周面に目盛りを刻設する構成としても良い。内容物Ｐは主に第２吐出路２５を介してノズル２０の先端から吐出されることになるため、内容物Ｐが広範囲に飛散することが少ない。このため図５に示すように、内容物Ｐをノズル２０の先端２１からキャップ本体３０内に正確に吐出させることが可能である。よって、この構成ではキャップ本体３０の内周面に目盛りを刻設しておくことにより、内容物Ｐを計量して吐出すること（定量吐出）することが可能となる。
【００３７】
次に、第２実施例としての振出し容器の構成について説明する。
図６は、本発明の振出し容器の第２の実施例を示し、Ａは振出し容器の平面図、Ｂは振出し容器の断面図である。
第２実施例に示す振出し容器が、上記第１実施例と異なる点は、ノズル２０の先端２１と頂壁３２に形成した小孔３６の構成にあり、その他の構成及び効果は上記第１実施例と同様である。そこで、以下においては主として第１実施例と異なる点について説明する。
【００３８】
図６に示すように、第２実施例に示す振出し容器は、ノズル２０の径寸法が全体的に細い形状であり、ノズル２０先端２１の内径寸法は頂壁３２に穿設されている複数の小孔３６が分布する領域の面積よりもが小さい構成となっている。このため上記第１実施例同様にノズル２０の先端２１を頂壁３２の下面近傍位置まで延設する構成とした場合には振出し容器を振って少量吐出した場合には、内容物が全ての小孔３６に平等に行き渡り難くなり、結果として内容物Ｐを広範囲に吐出することができなくなる。
そこで、第２実施例ではノズル２０の先端２１を頂壁３２の下面から下方に離し、これらの間にスペースＳを形成している。これにより、振出し容器を振って少量吐出した場合に、ノズル２０の先端２１から吐出した内容物はスペースＳで広がり、全ての小孔３６にほぼ平等に行き渡るようになる。その結果、第２実施例においても、内容物Ｐを複数の小孔３６から広範囲に吐出することができる。
【００３９】
以上、実施例に沿って本発明の構成とその作用効果について説明したが、本発明の実施の形態は上記実施例に限定されるものではない。
【００４０】
例えば、上記第１実施例及び第２実施例では、キャップ本体３０の側壁３１の外側に外側壁３１Ａを設け、この外側壁３１Ａの内周面に雌ねじ３５が刻設された構成を示して説明したが、本発明は上記実施例に限定されるものではなく、図７に第３実施例として示すように側壁３１の外周面に雌ねじ３５を刻設する構成としても良い。この構成では側壁３１の外側に外側壁３１Ａを設ける必要がなくなるため、振出し容器の外観をスリム化することができる。同時に、特に粉状の内容物が外筒部１１の上部側の内周面とキャップ本体３０の内側壁３１Ｂとが径方向に対向する部分に残留することなくなるため、キャップ本体３０を外したときに内容物が外部にこぼれ落ちることを抑制することができる。
【００４１】
また上記の各実施例では、蓋体３３がヒンジ３４を介して頂壁３２に開閉可能に支持される構成を示して説明したが、本発明は上記実施例に限定されるものではなく、蓋体３３がキャップ本体３０に対して分離可能に設けられる構成であってもよい。
【００４２】
さらには上記各本実施例においては、小孔３６を逆ヒンジ側ｂに設けた場合を示して説明したが、内容物の用途によってはヒンジ側ａに小孔３６を設ける構成としても良い。
【産業上の利用可能性】
【００４３】
本発明は、振出し容器の分野における用途展開をさらに広い領域で図ることができる。
【符号の説明】
【００４４】
１    ：  容器本体
２    ：  口筒部
３    ：  肩部
４    ：  段差部
１０  ：  ノズル本体
１１  ：  外筒部
１２  ：  内シール部
１３  ：  係止片
１４  ：  雄ねじ
１５  ：  仕切り板
１６  ：  第１吐出路
１７  ：  段差
２０  ：  ノズル
２１  ：  ノズルの先端
２２  ：  ノズルの基端
２３  ：  ノズルの側面
２４  ：  開放部
２５  ：  第２吐出路
３０  ：  キャップ本体
３１  ：  側壁
３１Ａ：  外側壁
３１Ｂ：  内側壁
３２  ：  頂壁
３３  ：  蓋体
３４  ：  ヒンジ
３５  ：  雌ねじ
３６  ：  小孔
３７  ：  栓体
Ｈ    ：  水平面
Ｏ    ：  容器軸
Ｐ    ：  内容物
Ｓ    ：  スペース
θ    ：  仕切り板の傾斜角度
【図１】
0006384832.tif 000002
【図２】
0006384832.tif 000003
【図３】
0006384832.tif 000004
【図４】
0006384832.tif 000005
【図５】
0006384832.tif 000006
【図６】
0006384832.tif 000007
【図７】
0006384832.tif 000008